(57)【要約】【課題】画角枠の誤認識を回避することで、撮像者に画角枠を適切に把握させる。【解決手段】撮像装置１００は、被写体からの光を集光する光学系を有する撮像部１２２と、光学系の光軸方向に対する傾斜角が可変であり、かつ被写体からの光を透過すると共に、撮像部の撮像範囲を示す画角枠を表示する表示面を備えた表示部１９０と、表示面の傾斜角を検知する傾斜検知部１５２と、を備え、表示部は、傾斜角が予め定められた設定範囲に含まれる場合は画角枠を表示し、傾斜角が設定範囲に含まれない場合は、画角枠を表示しない。【選択図】図１
2014147020.tif 000002
【特許請求の範囲】
【請求項１】
被写体からの光を集光する光学系を有する撮像部と、
前記光学系の光軸方向に対する傾斜角が可変であり、かつ前記被写体からの光を透過すると共に、前記撮像部の撮像範囲を示す画角枠を表示する表示面を備えた表示部と、
前記表示面の傾斜角を検知する傾斜検知部と、
を備え、
前記表示部は、前記傾斜角が予め定められた設定範囲に含まれる場合は前記画角枠を表示し、前記傾斜角が前記設定範囲に含まれない場合は、前記画角枠を表示しないことを特徴とする撮像装置。
【請求項２】
前記表示部は、
前記画角枠を表示させる光を発光する発光部と、
前記発光部の発光を制御する発光制御部と、
前記発光部からの光を反射し、かつ前記表示面を有する反射部と、
を含むことを特徴とする請求項１に記載の撮像装置。
【請求項３】
前記表示部は、少なくとも前記表示面を前記設定範囲に含まれない位置にある収納位置に移動可能であって、
前記表示面が収納位置に移動されると、前記画角枠を表示しないことを特徴とする請求項１または２のいずれか１項に記載の撮像装置。
【発明の詳細な説明】
【技術分野】
【０００１】
本発明は、被写体を撮像して画像データを生成する撮像装置に関する。
【背景技術】
【０００２】
従来、ビデオカメラやスチールカメラ（一眼レフを除く）などの撮像装置は、ビューファインダや液晶モニタなどの表示部を備えており、撮像者は、表示部を視認することで、画角に含まれる被写体や背景を確認できる。しかし、例えば、ズームなどによって倍率を変えた状態のときなどに、表示部に表示された画像が、撮像者の視野全体のうち、どの範囲を示しているのかを把握するのは難しい。特に、動体を撮影しているときには、高倍率であればあるほど被写体がフレームアウトした場合に被写体を再びフレームインすることが非常に困難である。
【０００３】
そこで、撮像部が生成した画像データに基づく信号光を、ホログラム凹面鏡ミラーに投射するファインダー装置が提案されている（例えば、特許文献１）。ホログラム凹面鏡ミラーは、投射光を反射することで、撮像者に撮像中の画像を虚像として視認させつつ、被写体から撮像者に向かう光を透過する。撮像者は、ホログラム凹面鏡ミラー越しに、被写体と、撮像中の被写体の虚像の両方を確認できるため、視線の移動が少なくて済む。
【先行技術文献】
【特許文献】
【０００４】
【特許文献１】特開平９−６５１８３号公報
【発明の概要】
【発明が解決しようとする課題】
【０００５】
しかしながら、上記の特許文献１に示されるように、ホログラム凹面鏡ミラーのような光透過型の反射部によって、撮像中の被写体の虚像を確認できる構成とすると、被写体の虚像が被写体に重なって視認されるため、見難くなってしまうおそれがある。そこで、光透過型の反射部によって、画角を示す画角枠の虚像を視認させる構成が考えられる。
【０００６】
このような構成において、一般的な撮像装置に搭載されている液晶モニタと同様、撮像部の光学系の光軸方向に対して、反射部の傾斜角を可変とすることも考えられる。しかし、単に反射部の傾斜角を可変とするだけでは、傾斜角によっては、画角枠を適切に視認させることができない場合がある。このとき、撮像者に誤った画角枠を認識させてしまうおそれがある。
【０００７】
そこで本発明は、このような課題に鑑み、画角枠の誤認識を回避することで、撮像者に画角枠を適切に把握させることが可能な撮像装置を提供することを目的としている。
【課題を解決するための手段】
【０００８】
上記課題を解決するために、本発明の撮像装置は、被写体からの光を集光する光学系を有する撮像部と、光学系の光軸方向に対する傾斜角が可変であり、かつ被写体からの光を透過すると共に、撮像部の撮像範囲を示す画角枠を表示する表示面を備えた表示部と、表示面の傾斜角を検知する傾斜検知部と、を備え、表示部は、傾斜角が予め定められた設定範囲に含まれる場合は画角枠を表示し、傾斜角が設定範囲に含まれない場合は、画角枠を表示しないことを特徴とする。
【発明の効果】
【０００９】
本発明によれば、画角枠の誤認識を回避することで、撮像者に画角枠を適切に把握させることが可能となる。
【図面の簡単な説明】
【００１０】
【図１】撮像装置の概略を示した機能ブロック図である。
【図２】撮像装置の概略外観図である。
【図３】画角枠を説明するための説明図である。
【図４】被写体と、反射部と、基準枠と、画角枠との関係を説明するための説明図である。
【図５】焦点距離と画角の関係を説明するための説明図である。
【図６】画角と画角枠の長さとの関係を説明するための説明図である。
【図７】表示制御方法の処理の流れを説明するためのフローチャートである。
【図８】変形例における撮像装置の概略を示した機能ブロック図である。
【図９】変形例における撮像装置の概略外観図である。
【発明を実施するための形態】
【００１１】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１２】
（撮像装置１００）
図１は、撮像装置１００の概略を示した機能ブロック図であり、図２は、撮像装置１００の概略外観図である。図１に示すように、撮像装置１００は、操作部１２０と、撮像部１２２と、画像処理部１２４と、バッファ１２６と、画像出力部１２８と、モニタ１３０と、圧縮部１３２と、画像保持部１３４と、中央制御部１３６と、表示部１９０と、傾斜検知部１５２とを含んで構成される。ここで、表示部１９０は、発光部１３８と、ミラー部１４０と、ＭＥＭＳ（Micro Electro Mechanical Systems）制御部１４２と、描画処理部１４４と、発光制御部１４６と、中間スクリーン１４８と、反射部１５０とから構成される。
【００１３】
操作部１２０は、レリーズスイッチを含む操作キー、十字キー、ジョイスティック等で構成され、撮像者の操作入力を受け付ける。また、後述するモニタ１３０の表示面にタッチパネルを配し、操作部１２０としてもよい。
【００１４】
撮像部１２２は、撮像レンズ１７０と、画角変更に用いられるズームレンズ１７２と、焦点調整に用いられるフォーカスレンズ１７４と、露光調整に用いられるアイリス１７６と、撮像レンズ１７０を通じて入射した光束を画像データに光電変換する撮像素子１７８と、後述する中央制御部１３６の制御信号に応じて、ズームレンズ１７２、フォーカスレンズ１７４、およびアイリス１７６をそれぞれ駆動させる駆動部１８０とを含んで構成される。このように、撮像部１２２は、被写体２００からの光を集光する光学系を有し、集光された光を光電変換して画像データを生成し、画像処理部１２４に出力する。
【００１５】
画像処理部１２４は、撮像部１２２から出力された画像データに所定の処理を施し、処理後の画像データをバッファ１２６に出力する。バッファ１２６は、ＳＲＡＭ（Static Random Access Memory）等で構成され、画像データを一時的に保持する。
【００１６】
画像出力部１２８は、バッファ１２６に保持された画像データに基づくプレビュー画像をモニタ１３０に表示するためのプレビューデータを生成し、ＯＳＤ（On-Screen Display）等のデータを重畳して、モニタ１３０に出力する。モニタ１３０は、液晶ディスプレイ、有機ＥＬ(Electro Luminescence)ディスプレイ等で構成され、プレビュー画像やＯＳＤなどを表示する。
【００１７】
圧縮部１３２は、バッファ１２６に保持された画像データを所定の符号化方式で符号化する。画像保持部１３４は、ＥＥＰＲＯＭ（Electrically Erasable Programmable Read-Only Memory）、フラッシュメモリ、ＨＤＤ（Hard Disk Drive）等で構成され、符号化された画像データを保持する。
【００１８】
中央制御部１３６は、中央処理装置（ＣＰＵ）、プログラム等が格納されたＲＯＭ、ワークエリアとしてのＲＡＭ等を含む半導体集積回路により、撮像装置１００全体を管理および制御する。また、中央制御部１３６は、操作部１２０を介した操作入力に応じ、駆動部１８０の駆動を制御し、ズーム処理を遂行させる。
【００１９】
発光部１３８は、例えばレーザなどで構成され、撮像部１２２の撮像範囲を示す画角枠を示す虚像を視認させる光を発光する。ミラー部１４０は、平面ミラーや凹面ミラーなどで構成され、発光部１３８が発光した光を反射して、後述する反射部１５０に導く。
【００２０】
ＭＥＭＳ制御部１４２は、ミラー部１４０の向きを制御する。具体的に、ＭＥＭＳ制御部１４２は、例えば、コイルと磁石による自励発振によって、発光部１３８の光が後述する中間スクリーン１４８を水平方向に走査するように、ミラー部１４０を変位させる。また、ＭＥＭＳ制御部１４２は、自励発振の周期を示す同期信号（例えば正弦波）を、描画処理部１４４に出力する。
【００２１】
描画処理部１４４は、中央制御部１３６からズーム倍率などの情報を取得し、画角枠を示す画像の画像データ（以下、枠データと称す）を生成する。かかる枠データの生成については、枠データ生成処理の説明において詳述する。
【００２２】
そして、描画処理部１４４は、同期信号に基づいて、自励発振の周期に同期する水平同期信号を生成し、さらに、水平同期信号に基づいて垂直同期信号を生成し、ＭＥＭＳ制御部１４２に出力する。ＭＥＭＳ制御部１４２は、垂直同期信号に基づいて、発光部１３８の光が中間スクリーン１４８を垂直方向に走査するように、ミラー部１４０を変位させる。
【００２３】
また、描画処理部１４４は、枠データと、枠データを水平同期信号および垂直同期信号に基づいて走査するときの各画素に対応する発光のタイミングを発光制御部１４６に出力する。
【００２４】
発光制御部１４６は、各画素に対応するタイミングに基づいてＲＧＢそれぞれの輝度になるように、発光部１３８を発光させる。
【００２５】
中間スクリーン１４８は、透過型スクリーンで構成され、ミラー部１４０からの光を透過して、ミラー部１４０と反対側に位置する反射部１５０側の面に中間像として投影する。
【００２６】
反射部１５０は、コンバイナで構成され、例えば、表面コーティング加工によって透過または反射する光の波長を制限するなどして、被写体２００からの光を透過すると共に、中間スクリーン１４８に投影された発光部１３８からの光を反射する。
【００２７】
また、反射部１５０は、図２（ａ）に示すように、ヒンジなどの回転機構１５０ａを介して撮像装置１００の本体１００ａに設置されており、図２（ａ）のように、撮像部１２２の光学系の光軸方向Ａ（図２（ａ）中、破線の矢印で示す。）に略垂直な状態（望ましくは、表示面１５０ｂの面直方向と、撮像部１２２の光学系の光軸方向Ａが大凡平行となり、光軸上に被写体が位置する状態）から、本体１００ａに近接する位置（収納位置）へと角度調整できる。これによって、撮像部１２２の光学系の光軸方向Ａに対する表示面１５０ｂの傾斜角（以下、単に傾斜角と称す）を変えることができる。
【００２８】
そして、図２（ｂ）に示すように、反射部１５０の表示面１５０ｂを、本体１００ａに近接する位置（収納位置）に移動させたときに収納状態となる。モニタ１３０も同様に収納可能となっている。そのため、未使用時には、反射部１５０を収納することで、反射部１５０の損傷を回避すると共に、撮像装置１００を小さくして携帯性や収納性を向上することができる。
【００２９】
図１に戻って説明すると、傾斜検知部１５２は、表示面１５０ｂの傾斜角を検知し、検知した傾斜角を示す角度データを中央制御部１３６に出力する。
【００３０】
（画角枠と基準枠の説明）
図３は、画角枠を説明するための説明図である。図３（ａ）に示すように、撮像者の目の位置であるアイポイント２０２と、被写体２００との間に、撮像装置１００の反射部１５０が配される。撮像者は、発光部１３８から発光された光によって、反射部１５０より被写体２００側に、撮像部１２２の画角枠を示す虚像を結像して視認する。
【００３１】
また、図３（ａ）に示す、アイポイント２０２から反射部１５０（または撮像部１２２の光学系）までの距離Ｚ１が、アイポイント２０２から被写体２００までの距離Ｚ２に対して十分に小さい場合、撮像者の視野の画角θ１と撮像部１２２の画角θ２は大凡等しいとみなすことができる。
【００３２】
ところで、人の視野のうち、意識的に視野を広く持とうとせずに、通常の状態で視認する視野の範囲は、大凡、３５ｍｍフィルム換算の焦点距離で８０ｍｍ相当となっている。そこで、撮像者が、例えば、反射部１５０の表示面１５０ｂの表示範囲に関し、垂直方向の中心かつ水平方向の両端から、大凡８０ｍｍ離れたところにアイポイント２０２を位置させて撮像装置１００を保持したとする。このとき、撮像者の視野は、大凡、反射部１５０越しの被写体２００や外景に占められている。
【００３３】
本実施形態では、焦点距離が８０ｍｍと設定したとき、撮像者が視認する画角枠の虚像は、反射部１５０の縁に重なるものとする。このときの画角枠の位置に相当する枠を、アイポイント２０２の調整の基準となる基準枠とする。
【００３４】
また、図３（ｂ）に示すように、撮像装置１００について、ズーム操作をすると、ズーム倍率に応じて撮像部１２２の画角θ２は小さくなる。すると、画角枠は基準枠よりも小さくなる。
【００３５】
図４は、被写体２００と、反射部１５０と、基準枠２０４と、画角枠２０６との関係を説明するための説明図である。図４（ａ）に示すように、焦点距離を８０ｍｍとしたとき（θ１≒θ２）、基準枠２０４が虚像として、反射部１５０の縁に収まるように視認される。
【００３６】
ここで、ズーム操作が遂行されると、描画処理部１４４は、図４（ｂ）に示すように、ズーム操作に応じて小さくなった画角枠２０６を撮像者に虚像として視認させる枠データを生成する。そのため、撮像者は、画角を示す画角枠２０６の虚像を、反射部１５０越しの実際の被写体２００や外景に重畳して視認でき、撮像部１２２の画角θ２を直感的に把握することが可能となる。
【００３７】
また、アイポイント２０２が正しい位置から上下左右のいずれかにずれると、虚像として視認される画角枠２０６の位置も不正確なものとなる。例えば、アイポイント２０２が上方にずれた場合、図４（ｃ）に示すように、画角枠２０６は、反射部１５０の中心から下方に偏って位置し、基準枠２０４の下端は反射部１５０から外れる。このことから、撮像者は、基準枠２０４が反射部１５０に収まるように、撮像装置１００とアイポイント２０２との位置関係を調整することで、アイポイント２０２を正しく位置させて、正確な画角枠２０６を把握することができる。
【００３８】
また、上記のように、反射部１５０（表示面１５０ｂ）は、回転機構１５０ａによって傾斜角が可変であるため、反射部１５０の傾斜角を調整することで、基準枠２０４を反射部１５０の表示面１５０ｂの表示範囲内に収めるようにすることも可能である。
【００３９】
（枠データ生成処理）
続いて、枠データ生成処理に関し、基準枠２０４と画角枠２０６の大きさの計算処理について詳述する。図５は、焦点距離ｆと画角の関係を説明するための説明図である。図５（ａ）〜（ｃ）に示すように、光学系の主点２０８を挟んで、被写体２００の反対側に焦点距離ｆだけ離れた位置において、光学系に入射した光が最も明確に投影される。この投影範囲を、光学系の光軸２１０を中心とする仮想円Ｓとする。
【００４０】
仮想円Ｓのうち、撮像素子１７８の受光面の矩形形状に合わせた範囲が、画像データに変換される。ここでは、例えば、アスペクト比がＶＧＡ（Video Graphics Array）となる矩形領域Ｃを考え、その水平方向の距離を水平距離Ｈ、垂直方向の距離を垂直距離Ｖとする。
【００４１】
そして、水平方向の画角の半分となる角度を角度θＨ（図５（ａ）参照）、垂直方向の画角の半分となる角度を角度θＶ（図５（ｂ）参照）とすると、以下の数式１および数式２が成立する。
【数１】
2014147020.tif 000003
…（数式１）
【数２】
2014147020.tif 000004
…（数式２）
【００４２】
数式１および数式２によって、水平方向の画角（２θＨ）、垂直方向の画角（２θＶ）は、それぞれ、以下の数式３および数式４を用いて求められる。
【数３】
2014147020.tif 000005
…（数式３）
【数４】
2014147020.tif 000006
…（数式４）
【００４３】
例えば、３５ｍｍフィルムの大きさに合わせて矩形領域Ｃを設定し、水平距離Ｈは３６ｍｍ、垂直距離Ｖは２４ｍｍとする。
【００４４】
焦点距離ｆが８０ｍｍの場合、上記数式１および数式２によって、水平方向の画角（２θＨ）は大凡２８°、垂直方向の画角（２θＶ）は大凡２２．６°となる。
【００４５】
また、焦点距離ｆが２００ｍｍの場合、上記数式１および数式２によって、水平方向の画角（２θＨ）は大凡９．１°、垂直方向の画角（２θＶ）は大凡６．９°となる。
【００４６】
図６は、画角と画角枠２０６の長さとの関係を説明するための説明図である。図６（ａ）においては、虚像として認識される画角枠２０６を、水平方向の視点で捉えたと仮定した場合の位置関係を示す。ここでは、垂直方向に関し、画角と、画角枠２０６の長さの関係を説明し、水平方向に関する画角と画角枠２０６の長さの関係については、垂直方向と実質的に等しいため、説明は省略する。
【００４７】
光学系の主点２０８の被写体２００側の画角については、上記の数式１および数式２と同様の関係が成立する。具体的に、図６に示すように、基準枠２０４の垂直方向の長さｙ０と、アイポイント２０２から反射部１５０の表示面１５０ｂまでの距離ｘと、垂直方向の画角（２θＶ）は、以下の数式５の関係にある。
【数５】
2014147020.tif 000007
…（数式５）
【００４８】
焦点距離ｆが８０ｍｍのときの画角（２θＶ）である１７°を代入すると、以下の数式６となる。
【数６】
2014147020.tif 000008
…（数式６）
【００４９】
すなわち、画角枠２０６の垂直方向の長さｙ０は、距離ｘの０．３倍となる。また、ズーム操作によって焦点距離ｆが２００ｍｍとなったとき、画角枠２０６の垂直方向の長さを長さｙ１とする。このとき、上記の数式５の長さｙ０を長さｙ１に置き換え、焦点距離ｆが８０ｍｍのときの画角（２θＶ）である６．９°を代入すると、以下の数式７となる。
【数７】
2014147020.tif 000009
…（数式７）
【００５０】
数式６および数式７から、焦点距離ｆが８０ｍｍのときの画角枠２０６の垂直方向の長さｙ０と、焦点距離ｆが２００ｍｍのときの画角枠２０６の垂直方向の長さｙ１との比は、ｙ０：ｙ１＝０．３：０．１２となる。
【００５１】
例えば、焦点距離ｆが８０ｍｍのときの画角枠２０６の垂直方向の長さｙ０を、ＶＧＡの垂直解像度である４８０画素とすると、焦点距離ｆが２００ｍｍのときの画角枠２０６の垂直方向の長さｙ１は、１９２画素と導出される。
【００５２】
そのため、図６（ｂ）に示すように、垂直解像度の４８０画素に対し、上から順位０から４７９の番号を割り振ると、垂直方向の画素の並びの中心となる２４０番目の画素を、画角枠２０６の中心となるように配置すると、上から１４４番目の画素から３３５番目の画素までが画角枠２０６となる。
【００５３】
（表示制御方法）
続いて、撮像装置１００の表示部１９０の表示制御方法について説明する。図７は、表示制御方法の処理の流れを説明するためのフローチャートである。
【００５４】
図７に示すように、傾斜検知部１５２は、表示面１５０ｂの傾斜角を検知し、中央制御部１３６に出力する（Ｓ３００）。中央制御部１３６は、傾斜角に基づいて、反射部１５０が収納位置にあるか否かを判定する（Ｓ３０２）。収納位置にある場合（Ｓ３０２におけるＹＥＳ）、中央制御部１３６は、すでに、ＭＥＭＳ制御部１４２、発光制御部１４６が基準枠２０４の虚像を視認可能とする処理（以下、基準枠制御処理と称す）を行っているか否かを判定する（Ｓ３０４）。
【００５５】
基準枠制御処理を行っていない場合（Ｓ３０４におけるＮＯ）、角度検知ステップＳ３００に処理を戻す。基準枠制御処理を行っている場合（Ｓ３０４におけるＹＥＳ）、基準枠制御処理を停止し（Ｓ３０６）、角度検知ステップＳ３００に処理を戻す。
【００５６】
反射部１５０が収納位置にない場合（Ｓ３０２におけるＮＯ）、中央制御部１３６は、すでに、基準枠制御処理を行っているか否かを判定する（Ｓ３０８）。基準枠制御処理を行っていない場合（Ｓ３０８におけるＮＯ）、基準枠制御処理を開始し（Ｓ３１０）、角度判定ステップＳ３１２に処理を移す。基準枠制御処理を行っている場合（Ｓ３０８におけるＹＥＳ）、そのまま角度判定ステップＳ３１２に処理を移す。
【００５７】
続いて、中央制御部１３６は、傾斜角が予め定められた設定範囲に含まれるか否かを判定する（Ｓ３１２）。例えば、ほとんど反射部１５０の表示面１５０ｂが視認できないような傾斜角では、アイポイント２０２と撮像装置１００の位置関係をどう調整しても、正確な画角枠２０６の虚像は視認されない。設定範囲は、アイポイント２０２と撮像装置１００の位置関係を調整することで、正確な画角枠２０６を把握することができる可能性がある傾斜角の範囲である。
【００５８】
傾斜角が設定範囲に含まれる場合（Ｓ３１２におけるＹＥＳ）、中央制御部１３６は、すでに、ＭＥＭＳ制御部１４２、発光制御部１４６が画角枠２０６の虚像を視認可能とする処理（以下、画角枠制御処理と称す）を行っているか否かを判定する（Ｓ３１４）。
【００５９】
すでに、画角枠制御処理を行っている場合（Ｓ３１４におけるＹＥＳ）、当該画角枠制御処理を継続する。まだ、画角枠制御処理を行っていない場合（Ｓ３１４におけるＮＯ）、画角枠制御処理を開始する（Ｓ３１６）。そして、角度検知ステップＳ３００に処理を戻す。
【００６０】
また、角度判定ステップＳ３１２において、傾斜角が設定範囲に含まれない場合（Ｓ３１２におけるＮＯ）、すでに、画角枠制御処理を行っているか否かを判定する（Ｓ３１８）。すでに、画角枠制御処理を行っている場合（Ｓ３１８におけるＹＥＳ）、当該画角枠制御処理を停止し（Ｓ３２０）、そのまま角度検知ステップＳ３００に処理を戻す。まだ、画角枠制御処理を行っていない場合（Ｓ３１８におけるＮＯ）、角度検知ステップＳ３００に処理を戻す。
【００６１】
こうして、発光制御部１４６は、傾斜角が設定範囲に含まれている場合に、中央制御部１３６の制御信号に応じ、反射部１５０の表示面１５０ｂで反射された光によって、撮像部１２２の画角枠２０６を示す虚像を反射部１５０より被写体２００側に結像可能となるように、発光部１３８の発光を制御する。すなわち、表示部１９０は、画角枠２０６を表示する。
【００６２】
また、発光制御部１４６は、傾斜角が設定範囲に含まれていない場合に、中央制御部１３６の制御信号に応じ、発光部１３８の発光を停止する。このように、発光制御部１４６は、撮像部１２２の画角枠２０６を示す虚像が結像不可能となるように発光部１３８の発光を制御する。すなわち、表示部１９０は、画角枠２０６を表示しない。
【００６３】
そのため、撮像装置１００は、反射部１５０の表示面１５０ｂで反射された光による虚像が、不正確な画角枠２０６の位置を示すことを回避し、撮像者に、正確な画角枠２０６を把握させることが可能となる。
【００６４】
また、上記の設定範囲には、反射部１５０が収納位置にあるときの表示面１５０ｂの傾斜角は含まれていない。すなわち、表示面１５０ｂが収納位置に移動されると、傾斜角が設定範囲に含まれなくなることから、発光制御部１４６は、中央制御部１３６の制御信号に応じ、発光部１３８の発光を停止する。換言すれば、表示部１９０は、画角枠２０６を表示しない。そのため、撮像部１２２の画角枠２０６を示す虚像が結像不可能となる。
【００６５】
以上のように、本実施形態の撮像装置１００および表示制御方法によれば、傾斜角が設定範囲に含まれていない場合には、画角枠２０６を視認させず、画角枠２０６の誤認識を回避することで、画角枠を適切に把握させることが可能となる。
【００６６】
（変形例）
図８は、変形例における撮像装置４００の概略を示した機能ブロック図であり、図９は、変形例における撮像装置４００の概略外観図である。撮像装置４００は、上述した実施形態の撮像装置１００と異なり、図８、図９に示すように、モニタ１３０を設けていない代わりに、図８に示すセレクタ部４３０を備える。
【００６７】
セレクタ部４３０は、描画処理部１４４の代わりに、ＭＥＭＳ制御部１４２からの同期信号に基づいて、自励発振の周期に同期する水平同期信号を生成し、さらに、水平同期信号に基づいて垂直同期信号を生成し、ＭＥＭＳ制御部１４２に出力する。
【００６８】
さらに、セレクタ部４３０は、操作部１２０を介した操作入力に応じた中央制御部１３６からの制御信号によって、画角枠２０６の表示モードと、プレビューデータの表示モードとを切り換える。
【００６９】
画角枠２０６の表示モードにおいては、セレクタ部４３０は、描画処理部１４４から出力された枠データを、水平同期信号および垂直同期信号に同期させて、発光制御部１４６に出力する。
【００７０】
プレビューデータの表示モードにおいては、セレクタ部４３０は、画像出力部１２８から出力されたプレビューデータを、水平同期信号および垂直同期信号に同期させて、発光制御部１４６に出力する。
【００７１】
このように、セレクタ部４３０を設けることで、モニタ１３０を別途、備えることなく、反射部１５０の表示面１５０ｂに反射された光によって、プレビュー画像やＯＳＤなどを虚像として視認することが可能となる。
【００７２】
かかる変形例の撮像装置４００も、上述した実施形態の撮像装置１００と同様、中央制御部１３６の制御信号に応じ、発光制御部１４６が、傾斜角が設定範囲に含まれている場合に、発光部１３８の発光を制御し、反射部１５０の表示面１５０ｂで反射された光によって、撮像部１２２の画角枠２０６を示す虚像を反射部１５０より被写体２００側に結像可能とし、傾斜角が設定範囲に含まれていない場合に、発光部１３８の発光を停止し、撮像部１２２の画角枠２０６を示す虚像を結像不可能とする。そのため、撮像装置４００は、画角枠２０６の誤認識を回避することで、画角枠２０６を適切に把握させることが可能となる。
【００７３】
上述した基準枠２０４を定める焦点距離は、撮像対象、被写体２００との距離、および、撮像者の感覚の個人差の影響を受けて最適な値が異なるため、操作入力に応じて調整可能とする。例えば、モニタ１３０を参照しながら焦点距離の最適値を選択可能とするキャリブレーション機能を備えてもよい。
【００７４】
また、望遠側では画角枠２０６は小さく表示されて視認し難くなるおそれがあるため、画角枠として、例えば、撮像範囲の中心位置を示す、十文字、点、三角印などのポインタを表示してもよい。撮像者は、ポインタを視認することで、ポインタを中心とする所定範囲が撮像範囲であることを把握できる。
【００７５】
また、上述した実施形態および変形例においては、表示部１９０は、レーザ光源（発光部１３８）およびＭＥＭＳミラー（ＭＥＭＳ制御部１４２、ミラー部１４０）で構成され、いわゆるＭＥＭＳ方式により表示面１５０ｂに画角枠２０６を表示するようにした。しかしながら、表示部１９０は、反射型の液晶表示素子とプロジェクタ光学系で構成され、いわゆるＬＣＯＳ（Liquid Crystal On Silicon）方式により表示面１５０ｂに画角枠２０６を表示するようにしてもよい。また、表示部１９０は、ＨＵＤに限らず、被写体からの光を透過可能な表示面を有する表示部であればよい。
【００７６】
なお、本明細書の表示制御方法の各工程は、必ずしもフローチャートとして記載された順序に沿って時系列に処理する必要はなく、並列的あるいはサブルーチンによる処理を含んでもよい。
【００７７】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【産業上の利用可能性】
【００７８】
本発明は、被写体を撮像して画像データを生成する撮像装置に利用することができる。
【符号の説明】
【００７９】
Ａ     …光軸方向
１００、４００  …撮像装置
１２２  …撮像部
１３８  …発光部
１４６  …発光制御部
１４８  …中間スクリーン
１５０  …反射部
１５２  …傾斜検知部
１９０  …表示部
２００  …被写体
２０６  …画角枠
【図１】
2014147020.tif 000010
【図２】
2014147020.tif 000011
【図３】
2014147020.tif 000012
【図４】
2014147020.tif 000013
【図５】
2014147020.tif 000014
【図６】
2014147020.tif 000015
【図７】
2014147020.tif 000016
【図８】
2014147020.tif 000017
【図９】
2014147020.tif 000018